(57)【要約】      （修正有）【課題】コストダウンが図れ、かつ綺麗な状態にしてリサイクルをすることが可能な弁当容器を提供する。【解決手段】弁当容器１０は、ＰＰ、ＰＳ等からなる樹脂容器をリサイクルした原料を中間の層に配した三層構造のシートを樹脂成型して製造されたトレイ本体１及びこのトレイ本体１に被せられる蓋２を備えてなる。トレイ本体１の食材を収納する内面の全面には、ＰＳからなるフィルム３が熱蒸着、熱融着等によって剥離可能に貼付され、フィルム３をトレイ本体１から剥離させる粘着テープ４が貼付されている。【選択図】図１
0003159738.tif 000002
【実用新案登録請求の範囲】
【請求項１】
食材を収納するための仕切りが設けられたトレイ本体、及び、該トレイ本体に被せられる蓋とを備え、前記トレイ本体の前記食材を収納する側のほぼ全面に剥離可能なフィルムが貼付されている弁当容器において、
前記フィルムを剥離するための粘着テープであって、食材が収納されて流通過程にある時には前記トレイ本体と前記蓋との固定に用いられ、食事後には前記フィルムに接着して引き剥がすことにより当該フィルムに切れ目を生じさせ、当該切れ目を利用して前記フィルムをトレイ本体から剥離させる所定長の粘着テープが貼付されていることを特徴とする弁当容器。
【請求項２】
請求項１に記載の弁当容器において、
前記トレイ本体は、多層構造のシートを樹脂成型して製造され、前記多層構造のうち、前記食材に触れない層はリサイクルされた原料を使用して形成されたことを特徴とする弁当容器
【請求項３】
請求項２項に記載の弁当容器において、
前記トレイ本体は、３層構造を有し、最外層となる第一層及び食材が収納される第三層はバージンのポリプロピレン（ＰＰ）によって形成され、前記第一層と前記三層に挟まれる第二層はリサイクルされたポリプロピレン（ＰＰ）とポリスチレン（ＰＳ）との混合体によって形成されてなることを特徴とする弁当容器。
【請求項４】
請求項１から３のいずれか１項に記載の弁当容器において、
前記トレイ本体は、食材を種類別に区分けするための仕切りが立設され、
前記蓋は、前記仕切りの形状に対応する複数の凹部を有し、
前記トレイ本体に前記蓋を被せたとき、前記仕切りの上端と前記蓋に形成された複数の前記凹部の下端部とが当接することで前記蓋の上に加わる加重を支持するように形成されたことを特徴とする弁当容器。
【考案の詳細な説明】
【技術分野】
【０００１】
本考案は、リサイクル資源として利用可能な弁当容器に係り、特に、トレイ本体の食材の収納面にフィルムを貼着しておき、このフィルムを食事後に剥がして綺麗な容器を回収してリサイクルが行えるようにし、資源の有効活用と自然環境の保全が図れるようにした弁当容器に関する。
【背景技術】
【０００２】
わが国で日々排出される一般廃棄物の中でも紙製やプラスチック製の容器包装が占める割合は膨大であり、リサイクルによって資源の有効利用及び自然環境の保全が図られることから、消費者が廃棄物を分別排出し、これを地方自治体が分別収集し、再生事業者が再商品化するというシステムが効率良く機能することが望まれている。
【０００３】
弁当等に用いられた使用済みのプラスチック製の容器を回収する場合、利用者は、ごはんやおかず等の食材で汚れた内面を洗浄してからリサイクルに出す必要がある。利用者がこの作業を面倒に感じたり、近くに洗える環境が無い場合、一般ゴミとして廃棄処理されることが多くなり、これらがリサイクルに回されないことで回収効率が低下する。
【０００４】
そこで、合成樹脂製のトレイ本体の内面にコーティングシートを剥離可能に貼着し、コーティングシート内に内容物を収納した後、包装用容器上面にトップシートを貼着してトレイを被覆すると共に、コーティングシートとトップシートとをトレイ本体から分離できるようにした包装用容器が提案されている（例えば、特許文献１参照）。この構成により、トレイ本体に食材の汚れが直接付着しないため、シートを剥がすだけでトレイ本体を綺麗な状態でリサイクルすることが可能になる。
【先行技術文献】
【特許文献】
【０００５】
【特許文献１】実用新案登録第３１２６６５８号公報
【考案の概要】
【考案が解決しようとする課題】
【０００６】
しかし、上記した包装用容器によれば、トレイ本体からコーティングシート及びトップシートを分離できるため、洗浄することなくトレイ本体を綺麗な状態でリサイクルに出すことができるものの、コーティングシート及びトップシートの一部につまみ部を設ける必要があるため、その成型分だけコストアップになる。
【０００７】
また、従来の弁当容器の場合、トレイ本体には食材を配置するために仕切りが設けられているが、蓋にはそのような仕切りは設けられておらず、蓋の内側面（トレイ本体側に向かう面）はフラットな面とされていた。また、蓋は一般にあまり強度がなく、上から荷重がかかると容易に変形すると共に、トレイ本体内に収容されている食材と容易に接触して食材がつぶれてしまうという問題がある。
【０００８】
この点、トレイ本体の仕切りに蓋の内側面を当接させる構造とすることで蓋の変形を防止するものも提供されているが、この構成による弁当容器の場合にはトレイ本体に当該トレイ本体の高さを超えるような高さの仕切りを設ければ蓋が閉まらなくなることから蓋の変形を防止できるのはトレイ本体の高さ以内に制限されざるを得なかった。
【０００９】
従って、本考案の目的は、つまみ部を設けないことで、コストダウンが図れ、かつ綺麗な状態にしてリサイクルをすることが可能な弁当容器を提供することにある。
【００１０】
また、本考案の目的は、弁当容器を多数重ねても蓋が容易に変形することなく収容された食材を確実に保護することが可能な弁当容器を提供することにある。
【課題を解決するための手段】
【００１１】
上記目的を達成するため、請求項１に記載の本考案は、食材を収納するための仕切りが設けられたトレイ本体、及び、トレイ本体に被せられる蓋とを備え、トレイ本体の食材を収納する側のほぼ全面に剥離可能なフィルムが貼付されている弁当容器において、フィルムを剥離するための粘着テープであって、食材が収納されて流通過程にある時にはトレイ本体と蓋との固定に用いられ、食事後にはフィルムに接着して引き剥がすことによりフィルムに切れ目を生じさせ、この切れ目を利用してフィルムをトレイ本体から剥離させる所定長の粘着テープが貼付されていることを特徴とする。
【００１２】
上記目的を達成するため、請求項２に記載の本考案は、請求項１に記載の弁当容器において、トレイ本体は、多層構造のシートを樹脂成型して製造され、多層構造のうち、食材に触れない層はリサイクルされた原料を使用して形成されたことを特徴とする。
【００１３】
上記目的を達成するため、請求項３に記載の本考案は、請求項２項に記載の弁当容器において、トレイ本体は、３層構造を有し、最外層となる第一層及び食材が収納される第三層はバージンのポリプロピレン（ＰＰ）によって形成され、第一層と前記三層に挟まれる第二層はリサイクルされたポリプロピレン（ＰＰ）とポリスチレン（ＰＳ）との混合体によって形成されてなることを特徴とする。
【００１４】
上記目的を達成するため、請求項４に記載の本考案は、請求項１から３のいずれか１項に記載の弁当容器において、トレイ本体は、食材を種類別に区分けするための仕切りが立設され、蓋は、仕切りの形状に対応する複数の凹部を有し、トレイ本体に蓋を被せたとき、仕切りの上端と蓋に形成された複数の凹部の下端部とが当接することで蓋の上に加わる加重を支持するように形成されたことを特徴とする。
【考案の効果】
【００１５】
本考案に係る弁当容器によれば、粘着テープを当初は蓋とトレイ本体とを固定するために使用すると共に、食事後にはトレイ本体の表面に被覆されたフィルムに接着して切れ目を入れることに使用することで、従来のようなつまみ部を設けることなくトレイ本体からフィルムを引き剥がすことができるのでトレイ本体のコストダウンが図れ、かつ綺麗な状態にして回収及びリサイクルができるという効果がある。
【００１６】
また、本考案に係る弁当容器によれば、トレイ本体に蓋を被せたとき、トレイ本体に設けられた仕切り上端と蓋に形成された複数の凹部の下端部とが当接することで蓋の上に加わる加重を効果的に支持するので蓋が容易に変形することなく、その結果、多数の弁当容器を積み重ねることができるという効果がある。
【００１７】
また、本考案に係る弁当容器によれば、蓋とトレイ本体を固定するための粘着テープを使用してトレイ本体のフィルムを剥がすことは指先などの機能障害に対するリハビリとしても役立ち、うまく引き剥がすことで満足感を与えることができる。また、使用が１回だけの使い捨て容器なので病院等で使用すれば非常に衛生的である。さらに、回収した容器をリサイクルした原料を用いて再び製品とするため水や洗剤の使用が大幅に減るので環境にやさしい弁当容器である。リサイクルを地域に委ねることで雇用の促進を図ることも可能である。
【図面の簡単な説明】
【００１８】
【図１】本考案に係る弁当容器の実施の形態を示す平面図である。
【図２】図１に示す弁当容器の斜視図である。
【図３】図１のＡ−Ａ線及びＢ−Ｂ線の断面図である。
【図４】図１に示すトレイ本体の構造を示す断面図である。
【図５】フィルムをトレイ本体から剥がす手順を説明する図である。
【考案を実施するための形態】
【００１９】
以下、本考案に係る弁当容器について、好ましい一実施形態に基づいて詳細に説明する。図１は、本考案に係る弁当容器の実施の形態を示す平面図、図２は、図１に示す弁当容器の斜視図、図３は、図１のＡ−Ａ線及びＢ−Ｂ線の断面図であり、トレイ本体と蓋とを分離した状態を示している。
【００２０】
弁当容器１０は、概略として、ご飯やおかず等の食材及び図示しないおかず収納用のカップ等を収納するトレイ本体１と、トレイ本体１に被せられる蓋２を備えており、トレイ本体１の内面には略全面にわたって薄いフィルム３がフィルム３５は剥離可能なように貼付されている。フィルム３は、例えば、ＰＳ（PolyStyrene：ポリスチレン）が用いられ、例えば、厚みが０．０２５ｍｍで、熱蒸着、熱融着等によってトレイ本体１の内面に貼付されている。このフィルム３は、例えば、後述する粘着テープ４を表面に貼った状態で引っ張れば容易に剥がすことができるような貼着状態となっている。
【００２１】
トレイ本体１と蓋２とは、図２に示すように、所定長の粘着テープ４によって側面対向する２箇所、或いは４箇所が止められる。この粘着テープ４は、例えば、セロハンテープやビニールテープ等を用いることができるが、これに限るものではなく、粘着面を備えたテープ状のものであればよい。この粘着テープ４は、トレイ本体１と蓋２との固定に用いられるばかりでなく、フィルム３に切れ目を生じさせてフィルム３を剥がすことにも用いられる。そのため、利用者が開封後に捨ててしまうのを防止するために、図１に示すように、“フィルムの剥がしに使って下さい”等の説明文４１が粘着テープ４に印刷されている。尚、図１は開封後の蓋２の内側に１枚の粘着テープ４を仮止めした状態を示している。
【００２２】
トレイ本体１は、リサイクルが可能で耐油性、耐熱性及び保温性を備え、更に電子レンジでの使用が可能なプラスチック材料を図１に示すような仕切り１１が立設された形状に樹脂成型（例えば、真空成型）したものである。トレイ本体１は、図３に示すように、その周縁にＵ字形状の曲げ部１２が施されている。なお、仕切り１１は、ごはん及び各種のおかずを相互に混ざらないように区分けして収納できるようにするものである。
【００２３】
トレイ本体１の断面形状は図４に示す如くであり、概略として、下側（外面側）がバージンのＰＰ（PolyPropylene：ポリプロピレン）によって形成された第一層１３であり、その次にトレイ本体１をリサイクルしたＰＰとＰＳとの混合原料を用いて形成された第二層１４が積層され、さらに、その次に第一層と同様にバージンのＰＰによってして形成された第三層１５の三層構造とされている。このように、それぞれバージンの原料を使用した第一層１３と第三層１５との中間に配置された第二層１４には、リサイクル原料が使用されている。ここで、トレイ本体１の第二層１４を構成するリサイクル原料の使用割合は、トレイ本体１を構成する第一層１３、第二層１４及び第三層１５の全重量に対して約４０〜７０％程度とされている。
【００２４】
蓋２は、例えば、透明又は半透明なＰＳシート、二軸延伸ポリスチレンシート等を樹脂成型したものである。蓋２にはトレイ本体１の仕切り１１の形状に対応するようにして複数の凹部２３が形成されている。この凹部２３は、トレイ本体１側から見れば凸状となっており、トレイ本体１に蓋２を被せた状態においてトレイ本体１に形成された仕切り１１と当接するようになっている。これにより、トレイ本体１と蓋２の間に壁を設けた状態となるため、蓋２の上面が押下されても蓋２が凹むような変形を生じない。このため、複数の弁当容器１０の積み重ねが可能な強度が得られ、例えば、弁当容器１０を１０段程度積み重ねることが可能な強度を有している。
【００２５】
また、蓋２の凹部２３によって区分けされた部分は、図３に最も良く示されているように、上方側に盛り上がるようにして形成された凸部２１（トレイ本体１側から見れば凹状）となっており、蓋２をトレイ本体１に被せた場合に、トレイ本体１の高さよりも高い位置まで食材を収納することを許容する。
【００２６】
また、蓋２の周縁には、トレイ本体１の曲げ部１２に嵌合可能なＵ字形状の曲げ部２２が設けられている。尚、蓋２は、弁当の中身の確認が容易になることから、透明な樹脂シートを用いるのが好ましいが、これに限定されるものではない。
【００２７】
本実施形態では、蓋２にはトレイ本体１に設けたフィルム３は設けていない。その理由は、蓋２がＰＳのみからなる場合、フィルム３を蒸着しにくい、食材の汚れがトレイ本体１ほど付きにくい、フィルム３を設けることによってコストアップになる等のためである。もちろん、蓋２の材質を変更したり、コストアップを是認すればフィルム３を設けることも可能である。
【００２８】
次に、弁当容器１０の使用方法について図１及び図５を参照して説明する。図５は、粘着テープ４を用いてトレイ本体からフィルム３を剥がす手順を説明する図である。まず、弁当販売店等では、購入者が注文した商品（弁当）内容に合せて、図１に示した弁当容器１０のトレイ本体１に弁当内容(調理仕様)に応じた食材を仕切り１１に区分けして収納する。一方、コンビニエンスストアなどで販売される弁当の場合には工場等においてこの作業が行われる。
【００２９】
必要な食材を全てトレイ本体１に入れ終わったら蓋２をトレイ本体１に被せ、曲げ部１２と曲げ部２２とを嵌合させる。そして、粘着テープ４を蓋２とトレイ本体１との間の２箇所又は４箇所に貼って両者を固定する。こうして完成した弁当は、必要に応じて包装紙を取り付けた後、割り箸等と共に購入者に手渡される。また、コンビニエンスストア等の場合には上記の様にして予め弁当容器１０に食材を入れて製造した弁当を商品として陳列しており、購入者の注文に応じて店頭販売される。
【００３０】
弁当の購入者は、弁当を食べるとき、後でフィルム３を剥がすために再利用できるように弁当容器１０から引き剥がした粘着テープ４を蓋２の上面又は内側面に仮止めしておく。弁当を食べ終わった購入者は、トレイ本体１の表面に貼着されたフィルム３のうちなるべく油や食材が付着していない部分（例えば、曲げ部１２の近傍等）に蓋２に仮止めしておいた粘着テープ４を付着させる。
【００３１】
そして、購入者が手で粘着テープ４を図５に示す矢印Ｃ方向へ引っ張ると、粘着テープ４の粘着力によってフィルム３の一部がトレイ本体１から剥がされて切れ目が生じる。フィルム３の切れ目の部分を指で摘んで引っ張るとフィルム３はトレイ本体１から容易に引き剥がすことができる。一度に全てのフィルム３を引き剥がすことができない場合には粘着テープ４の残っている粘着部分をさらにフィルム３に付着させてフィルム３の引き剥がしを行う。そして、トレイ本体１からフィルム３を完全に引き剥がせばトレイ本体１は綺麗な状態となってそのままリサイクルに出すことが可能となる。
【００３２】
フィルム３を引き剥がすことによって綺麗な状態とされたトレイ本体１は、例えば、販売店やコンビニエンスストア等に用意されている回収ボックスにて回収し、リサイクル業者等によってリサイクルされる。尚、蓋２は、凹部２３が仕切り１１と当接して蓋２がへこむのを防止しているためトレイ本体１内の食材が蓋２の内面に接触して汚すことは殆どない。従って、蓋２は大半が綺麗な状態にあり、そのままリサイクルすることが可能となる。そして、リサイクルされた原料は再びトレイ本体１を形成する第二の混合層１４として再利用される。
【００３３】
［実施形態の効果］
本考案に係る弁当容器１０によれば、トレイ本体１の内面に剥離可能にフィルム３を貼付し、食事が済んだ後にトレイ本体１と蓋２を固定するために弁当容器１０の複数箇所に貼り付けられていた粘着テープ４をフィルム３に貼って引き剥がすことにより切れ目を生じさせ、その切れ目を利用してフィルム３を完全に引き剥がすようにしたので従来フィルム３の引き剥がしのために設けていたつまみ部が不要になるのでトレイ本体１の製造コストを抑えることができるという効果がある。
【００３４】
また、トレイ本体１を綺麗な状態でリサイクルすることができるため、トレイ本体１の洗浄が不要であり、洗剤を使用せずに済む。従って、経済的であると共に、環境に悪影響を及ぼさないという効果がある。
【００３５】
また、トレイ本体１に設けられた仕切り１１と当接する凹部２３を蓋２に設けたことにより、蓋２に圧力が加わった場合でも、蓋２にはへこむ等の変形が生じないため、トレイ本体１に収納された食材が蓋２に接触し難くなり、蓋２を汚さずに済むという効果がある。更に、蓋２が変形し難いことから、食材入りの複数の弁当容器１０（即ち、弁当）を積み重ねる（例えば、１０段重ね）ことができるという効果がある。
【００３６】
また、粘着テープ４をトレイ本体１から剥がし、これをフィルム３に貼り付けて剥がすという作業は、リサイクルセンター等に就役している体の不自由な人たちにとって指先の訓練やリハビリになるという効果がある。
【００３７】
尚、上述した実施形態では、フィルム３を剥がすのに際してコストダウンを図るため、トレイ本体１と蓋２とを固定していた粘着テープ４を流用したが、粘着テープ４とは別にフィルム３を剥がすための専用の粘着面を有するテープを添付することも可能である。
【００３８】
以上のように、好ましい実施形態について説明したが、本考案に係る剥離可能なフィルムを備えた弁当容器は、容器を汚し易い食材を収納するリサイクル可能な食品容器の全般、更には、食品以外を収納するリサイクル可能な収納容器の全般に採用可能である。
【符号の説明】
【００３９】
１      トレイ本体
２      蓋
３      フィルム
４      粘着テープ
１０      弁当容器
１１      仕切り
１２      曲げ部
１３      第一層
１４      第二層
１５      第三層
２１      凸部
２２      曲げ部
２３      凹部
４１      説明文
【図１】
0003159738.tif 000003
【図２】
0003159738.tif 000004
【図３】
0003159738.tif 000005
【図４】
0003159738.tif 000006
【図５】
0003159738.tif 000007
【手続補正書】
【提出日】平成22年3月24日(2010.3.24)
【手続補正１】
【補正対象書類名】実用新案登録請求の範囲
【補正対象項目名】請求項３
【補正方法】変更
【補正の内容】
【請求項３】
請求項２に記載の弁当容器において、
前記トレイ本体は、３層構造を有し、最外層となる第一層及び食材が収納される第三層はバージンのポリプロピレン（ＰＰ）によって形成され、前記第一層と前記第三層に挟まれる第二層はリサイクルされたポリプロピレン（ＰＰ）とポリスチレン（ＰＳ）との混合体によって形成されてなることを特徴とする弁当容器。
【手続補正２】
【補正対象書類名】明細書
【補正対象項目名】００１３
【補正方法】変更
【補正の内容】
【００１３】
上記目的を達成するため、請求項３に記載の本考案は、請求項２に記載の弁当容器において、トレイ本体は、３層構造を有し、最外層となる第一層及び食材が収納される第三層はバージンのポリプロピレン（ＰＰ）によって形成され、第一層と第三層に挟まれる第二層はリサイクルされたポリプロピレン（ＰＰ）とポリスチレン（ＰＳ）との混合体によって形成されてなることを特徴とする。